(57)【要約】【課題】パソコンのアプリケーションの動作にかかわらず、メディアに対しバックグランドフォーマットが行われる場合、光ディスク装置側で動作表示や音により使用者にドライブの取り外し操作性を行わないよう喚起するように改善した光ディスク装置を提供することを目的とする。【解決手段】再書き込み可能な光メディアディスクが装着され、未フォーマット部分に対しバックグラウンドフォーマット（ＢＧＦ）動作が行われる場合、ユーザーに対しバックグラウンドフォーマットが行われていることを表示する表示部（Ｓ８）やスピーカーにより発せられる音（Ｓ９）により知らせる機能を備えたことを特徴とする光ディスク装置である。【選択図】図７
2005267765.tif 000002
【特許請求の範囲】
【請求項１】
再書き込み可能な光メディアディスクが装着され未フォーマット部分に対しバックグラウンドフォーマット（ＢＧＦ）動作が行われる場合、ユーザーに対しバックグラウンドフォーマットが行われていることを表示する表示部を備えたことを特徴とする光ディスク装置。
【請求項２】
再書き込み可能な光メディアディスクが装着され未フォーマット部分に対しバックグラウンドフォーマット（ＢＧＦ）動作が行われる場合、ユーザーに対しバックグラウンドフォーマットが行われていることを音により知らせることを特徴とする光ディスク装置。
【発明の詳細な説明】
【技術分野】
【０００１】
本発明は、パーソナルコンピュータなどの電子機器に搭載され、光ピックアップにより光ディスクに情報を記録再生する光ディスク装置に関する。
【背景技術】
【０００２】
光ディスクは、ＣＤ−ＲＯＭ、ＣＤ−Ｒ／ＲＷ、ＤＶＤ−ＲＯＭ、ＤＶＤ−ＲＡＭ、ＤＶＤ−Ｒ／ＲＷ、ＤＶＤ＋Ｒ／ＲＷなど、様々な種類のものが開発されて実用化されており、各方面への応用と高性能化への開発が活発に行われている。特に最近では、再書き込み可能なＤＶＤ＋ＲＷディスクでは書き込みを行う前に行わなければならないディスクのフォーマット作業を書き込みソフトなどのアプリケーションソフトが動作していない間に自動的に行うバックグランドフォーマットが主流となっている。このバックグランドフォーマットによりユーザーは新しいメディアに書き込みを行う場合、フォーマット作業を行う必要がなく便利になっている。
【０００３】
従来の光ディスク装置の構成について、図６に示すブロック図に従って説明する。
【０００４】
図６は従来の光ディスク装置のブロック図を示す。光ディスク１に対して光ピックアップ２によりレーザ光が照射されてデータの記録、再生が行われる。光ピックアップ２はフィードモーター３によって光ディスク１の半径方向に移動可能であり、光ディスク１はスピンドルモーター４によって回転する。フィードモーター３とスピンドルモーター４はＣＤサーボプロセッサー５によって制御され、これによって光ディスク１の回転速度、光ピックアップ２の移動速度が制御される。
【０００５】
アナログ信号処理部８は光ピックアップ２内部の光センサ（図示せず）からの信号出力を基に、フォーカスエラー信号とトラッキングエラー信号とＲＦ信号を生成し、デジタル信号処理部９に出力する。記録動作時は、デジタル信号処理部９によってホストから送られてきたデータを変調し、レーザ制御部によって光ピックアップ２内のレーザ（図示せず）等の光源に所定の電流を供給し、光源を例えばパルス状に発光させ、光ディスク１の情報トラックに記録を行う。ＣＰＵ６はメインメモリー７を持ち記録されたプログラムにより、このように構成されたサーボ部全体のコントロールとデジタル信号処理及びＩ／Ｆの制御を行うものである。
【０００６】
光ディスクより読み取られたデータはデジタル信号処理部９で処理され、ＵＳＢ（Ｕｎｉｖｅｒｓａｌ  Ｓｅｒｉａｌ  Ｂｕｓ）インターフェース部１０に送られＵＳＢ信号に変換される。これによりＵＳＢインターフェースによって容易にパソコン１１と接続することができる。
【０００７】
ＣＰＵ６にはメインメモリー７が接続されており、また、第１の表示装置１２と第２の表示装置１３は、ＣＰＵ６からの指示によってそれぞれ表示１、表示２を行う。例えば、緑色ＬＥＤの点灯によって表示１として電源の投入を表示し、橙色ＬＥＤの点灯によって表示２としてデータ転送中であることを表示する。
【０００８】
光ディスク装置の利便性を考慮して、光ディスクの記録容量の残量を使用者に知らせる機能を持たせたものが、例えば、（特許文献１）、（特許文献２）に記載されている。
【特許文献１】特開平６−１１９７５３号公報
【特許文献２】特開２００３−３４６３８７号公報
【発明の開示】
【発明が解決しようとする課題】
【０００９】
ＵＳＢ接続の外付けの光ディスクドライブにおいて、使用者が書き換え可能なＤＶＤ＋ＲＷメディアにデータを記録する場合、常にデータの記録の前後でバックグランドフォーマット作業が行われている。パソコン内蔵の光ディスクドライブでは、このバックグランドフォーマット時に突然取り外すことがないため、使用者にそのフォーマット動作を意識させずに行う仕様で作られている。しかし、活線挿抜に対応しているＵＳＢ接続の外付けの光ディスクドライブにおいては容易にドライブの取り外しが行われる為、上記のフォーマット動作を意識させない仕様では、フォーマット作業状態にもかかわらず、使用者が待機状態と判断しドライブの強制取り外しを行うことがあった。このように、データの追記ごとに行われるバックグランドフォーマット作業状態で取り外しが行われるとメディアの情報が壊れ記録したデータが読み出せない場合があった。
【００１０】
本発明は、このような問題点を解決するためになされたもので、パソコンのアプリケーションの動作にかかわらず、メディアに対しバックグランドフォーマットが行われる場合光ディスク装置側で動作表示や音により使用者にドライブの取り外し操作性を行わないよう喚起するように改善した光ディスク装置を提供することを目的とする。
【課題を解決するための手段】
【００１１】
本発明は、上記の課題を解決するためになされたものであり、再書き込み可能な光メディアディスクが装着され未フォーマット部分に対しバックグラウンドフォーマット（ＢＧＦ）動作が行われる場合、ユーザーに対しバックグラウンドフォーマットが行われていることを表示する表示部や音により知らせる機能を備えたことを特徴とする光ディスク装置である。
【発明の効果】
【００１２】
本発明によると、外付け光ディスク装置においてバックグラウンドフォーマットが行われている場合に使用者が間違って電源を切ったり、通信ケーブルを取り外し光ディスクメディア上のデータを破壊することを抑止することが可能な光ディスク装置を提供できる。
【発明を実施するための最良の形態】
【００１３】
本発明の請求項１に記載の発明は、再書き込み可能な光メディアディスクが装着され未フォーマット部分に対しバックグラウンドフォーマット（ＢＧＦ）動作が行われる場合、ユーザーに対しバックグラウンドフォーマットが行われていることを表示する表示部を備えたことを特徴とする光ディスク装置であり、バックグラウンドフォーマットが行われている場合に使用者が間違って電源を切ったり、通信ケーブルを取り外し光ディスクメディア上のデータを破壊することを抑止することができる。
【００１４】
本発明の請求項２に記載の発明は、再書き込み可能な光メディアディスクが装着され未フォーマット部分に対しバックグラウンドフォーマット（ＢＧＦ）動作が行われる場合、ユーザーに対しバックグラウンドフォーマットが行われていることを音により知らせることを特徴とする光ディスク装置であり、バックグラウンドフォーマットが行われている場合に使用者が間違って電源を切ったり、通信ケーブルを取り外し光ディスクメディア上のデータを破壊することを抑止することができる。
【００１５】
（実施の形態１）
以下、本発明をその実施の形態に基づいて説明する。
【００１６】
図１は本発明の光ディスク装置のブロック図を示す。光ディスク１に対して光ピックアップ２によりレーザ光が照射されてデータの記録、再生が行われる。光ピックアップ２は
フィードモーター３によって光ディスク１の半径方向に移動可能であり、光ディスク１はスピンドルモーター４によって回転する。フィードモーター３とスピンドルモーター４はＣＤサーボプロセッサー５によって制御され、これによって光ディスク１の回転速度、光ピックアップ２の移動速度が制御される。
【００１７】
アナログ信号処理部８は光ピックアップ２内部の光センサ（図示せず）からの信号出力を基に、フォーカスエラー信号とトラッキングエラー信号とＲＦ信号を生成し、デジタル信号処理部９に出力する。記録動作時は、デジタル信号処理部９によってホストから送られてきたデータを変調し、レーザ制御部によって光ピックアップ２内のレーザ（図示せず）等の光源に所定の電流を供給し、光源を例えばパルス状に発光させ、光ディスク１の情報トラックに記録を行う。ＣＰＵ６はメインメモリー７を持ち記録されたプログラムにより、このように構成されたサーボ部全体のコントロールとデジタル信号処理及びＩ／Ｆの制御を行うものである。
【００１８】
光ディスクより読み取られたデータはデジタル信号処理部９で処理され、ＵＳＢ（Ｕｎｉｖｅｒｓａｌ  Ｓｅｒｉａｌ  Ｂｕｓ）インターフェース部１０に送られＵＳＢ信号に変換される。
【００１９】
これによりＵＳＢインターフェースによって容易にパソコン１１と接続することができる。
【００２０】
ＣＰＵ６には、第１の表示装置１２と第２の表示装置１３が接続されており、ＣＰＵ６からの指示によってそれぞれ表示１、表示２を行う。装着された光ディスク１の種別と記録可能な残量に関する情報は、光ピックアップ２により光ディスク１より読み出され、アナログ信号処理部８によって生成された後、デジタル信号処理部９でデータに変換されＣＰＵ６によりメインメモリー７に格納される。これにより装着された光ディスク１の種別と記録可能なメディアの場合、その容量が算出される。次にＣＰＵ６は、メモリーへ記録されたメディアの種類と記録可能な残量について第１の表示装置１２と第２の表示装置１３によって指定された色に表示される。
【００２１】
第１の表示装置１２と第２の表示装置１３のいずれも、青色ＬＥＤ、緑色ＬＥＤ、赤色ＬＥＤを有しており、各ＬＥＤの駆動回路を図５に示す。各ＬＥＤＳ１は２つの駆動信号を持ち、駆動信号Ａはトランジスタ１をＯＮし抵抗値１により通常の電流を流し通常輝度の点灯を行う、駆動信号Ｂはトランジスタ２をＯＮし抵抗値の大きい抵抗値２により流れる電流を少なくして、より低い輝度の点灯を行うことが出来る。
【００２２】
この駆動回路を用い青色ＬＥＤ、緑色ＬＥＤ、赤色ＬＥＤの輝度を変えて同時点灯することで混合色を作り出し、装着された光ディスク１の種別及び書込可能残量についての表示内容を発光色により表す。表示内容の詳細については後に詳述する。ＣＰＵ６からの指示によって送出される音声信号はアンプ１４によって増幅され、スピーカー１５によって、装着された光ディスク１の種別及び書込可能残量が音声として発せられる。
【００２３】
図２に、光ディスクの種別及び書込可能残量についての表示処理の流れ図を示す。
【００２４】
ＵＳＢインターフェース部１０がパソコン１１に接続され（Ｓ１）、光ディスク１が装着されてトレイが閉じられる（Ｓ２）と、装着された光ディスク１が読み取り専用のＣＤ−ＲＯＭであるか否かの判定を行う（Ｓ３）。装着された光ディスク１が読み取り専用のＣＤ−ＲＯＭである場合には、第１の表示装置１２の緑色ＬＥＤを点灯し、その旨を音声で知らせる（Ｓ４）。ＣＤ−ＲＯＭでない場合には、ＤＶＤ−ＲＯＭであるか否かの判定を行う（Ｓ５）。装着された光ディスク１がＤＶＤ−ＲＯＭである場合には、第１の表示
装置１２の青色ＬＥＤを点灯し、その旨を音声で知らせる（Ｓ６）。
【００２５】
ＤＶＤ−ＲＯＭでない場合には、装着された光ディスク１が書込型のＣＤ−Ｒであるか否かの判定を行う（Ｓ７）。装着された光ディスク１がＣＤ−Ｒである場合には、第１の表示装置１２の赤色ＬＥＤを点灯し、その旨を音声で知らせる（Ｓ８）。次に、装着された光ディスク１についての残量を検出して、記録可能か否かの判定を行う（Ｓ９）。記録可能である場合には、残量に合わせて第２の表示装置１３に所定の色を表示する（Ｓ１０）。記録不可能な場合には、第２の表示装置１３に色を表示しない。
【００２６】
装着された光ディスク１がＣＤ−Ｒでない場合には、他の記録型メディアである、ＣＤ−ＲＷ、ＤＶＤ−ＲＡＭ、ＤＶＤ−Ｒ、ＤＶＤ−ＲＷ、ＤＶＤ＋Ｒ、ＤＶＤ＋ＲＷのいずれが装着されているかを判定し、記録型メディアの種類に応じて、表示色を変えて表示し、その記録可能な残量を表示する。
【００２７】
第１の表示装置１２における色の表示は、装着された光ディスク１の種別に応じて、例えば以下のようにすることができる。
【００２８】
ＣＤ−ＲＯＭ    緑色
ＣＤ−Ｒ        薄緑色
ＣＤ−ＲＷ      黄色
ＤＶＤ−ＲＯＭ  青色
ＤＶＤ−ＲＡＭ  水色
ＤＶＤ−Ｒ      紫色
ＤＶＤ−ＲＷ    桃色
ＤＶＤ＋Ｒ      橙色
ＤＶＤ＋ＲＷ    白色
また、第２の表示装置１３における光ディスク１の記録可能な残量表示については、例えば以下のようにすることができる。
【００２９】
容量無しで記録不可能    点灯せず
１００ＭＢ以下          桃色
３００ＭＢ以下          黄色
６５０ＭＢ以下          緑色
１ＧＢ以下              水色
２ＧＢ以下              青色
４．７ＧＢ（ＦＵＬＬ）  白色
図３は、光ディスク装置における第１の表示装置１２、第２の表示装置１３の配置の一例を示す図である。光ディスク装置の使用者は、第１の表示装置１２に表示された色によって、装着された光ディスク１の種別を確認することができる。また、第２の表示装置１３に表示された色によって、装着された光ディスク１が記録型の場合には、記録可能な残量を確認することができる。
【００３０】
図４は、ディスク残量の表示例の他の例を示す図である。残量に応じて表示の色を変えるとともに、図４に示すように、ＬＣＤ表示によって、残量の数値の概略がわかるように表示することもできる。
【００３１】
図７に、光ディスクのバックグラウンドフォーマット（ＢＧＦ）表示についての処理の流れ図を示す。
【００３２】
ＵＳＢインターフェース部１０がパソコン１１に接続され（Ｓ１）、光ディスク１が装
着されてトレイが閉じられる（Ｓ２）と、図１に示すアナログ信号処理部８は光ピックアップ２内部の光センサ（図示せず）からの信号出力をもとに、フォーカスエラー信号とトラッキングエラー信号とＲＦ信号を生成し、デジタル信号処理部９に出力する。デジタル信号処理部９によって読み取られたアナログ信号はデジタル信号に変換され、ＣＰＵ６にてメディア情報の取得が行なわれ、装着された光ディスク１が書き換え可能なＤＶＤ＋ＲＷメディアであるか否かの判定を行う（Ｓ３）。装着された光ディスク１がＤＶＤ＋ＲＷメディアでない場合には、ＢＧＦ動作を行わない（Ｓ４）。ＤＶＤ＋ＲＷメディアの場合は、前述の様にＣＰＵ６にてメディア情報の取得が行なわれ、装着された光ディスク１が未フォーマット状態であるか否かの判定を行う（Ｓ５）。未フォーマットでないＤＶＤ＋ＲＷメディアの場合、すでにフォーマットされたメディアで書き込みが可能なためＢＧＦ動作を行わない（Ｓ６）。未フォーマットのメディアの場合、一定時間の待機状態が続くと、ＣＰＵ６は自動的にホストからのコマンドを受けることなく、未フォーマットメディアに対し、フォーマットを行なう指示をデジタル信号処理部９へ出す。アナログ信号処理部８はデジタル信号処理部９から送られてきたフォーマットデータをアナログ信号へ変換し、ピックアップユニットによりレーザを発光し、未フォーマットメディアへＢＧＦを実施する（Ｓ７）。ＢＧＦを行う場合、フォーマット動作が行われていることを使用者に知らせるため、図１に示すように、ＣＰＵ６のポートから送られてきた信号により、３色で構成された表示１（１２）の緑色ＬＥＤと赤色ＬＥＤを同時点灯させメディアへの書き込み動作を示す橙色の点灯を行う。更に、表示２（１３）も前述の表示１の場合と同じように青色ＬＥＤと赤色ＬＥＤを同時点灯させ、ＢＧＦ動作を示す紫色を点灯させる（Ｓ８）。次に、ＢＧＦ動作を実行している間、使用者がむやみにドライブの電源及びＵＳＢケーブルを取り外さないように、ＣＰＵ６はアンプ１４を介してスピーカー１５から警告音を発し使用者に知らせる（Ｓ９）。
【００３３】
これにより、バックグラウンドフォーマットが行われている場合に使用者が間違って電源を切ったり、通信ケーブルを取り外し光ディスクメディア上のデータを破壊することを抑止することができる。
【産業上の利用可能性】
【００３４】
本発明は、外付け光ディスク装置においてバックグラウンドフォーマットが行われている場合に使用者が間違って電源を切ったり、通信ケーブルを取り外し光ディスクメディア上のデータを破壊することを抑止することができ、パーソナルコンピュータ等の電子機器に内蔵もしくは外付けで使用される光ディスク装置などに適応可能である。
【図面の簡単な説明】
【００３５】
【図１】本発明の光ディスク装置のブロック図
【図２】光ディスクの種別及び書込可能残量についての表示処理の流れ図
【図３】光ディスク装置における第１の表示装置、第２の表示装置の配置の一例を示す図
【図４】ディスク残量の表示例の他の例を示す図
【図５】表示装置におけるＬＥＤの駆動回路の構成を示す図
【図６】従来の光ディスク装置のブロック図
【図７】光ディスクのバックグラウンドフォーマット（ＢＧＦ）表示についての処理の流れ図
【符号の説明】
【００３６】
１    光ディスク
２    光ピックアップ
３    フィードモーター
４    スピンドルモーター
５    ＣＤサーボプロセッサー
６    ＣＰＵ
７    メインメモリー
８    アナログ信号処理部
９    デジタル信号処理部
１０    ＵＳＢインターフェース部
１１    パソコン
１２    第１の表示装置
１３    第２の表示装置
１４    アンプ
１５    スピーカー
【図１】
2005267765.tif 000003
【図２】
2005267765.tif 000004
【図３】
2005267765.tif 000005
【図４】
2005267765.tif 000006
【図５】
2005267765.tif 000007
【図６】
2005267765.tif 000008
【図７】
2005267765.tif 000009